(57)【特許請求の範囲】
【請求項１】
チップを四角形棒状ゴム製の弾性体もしくは短冊状金属製板バネの自由端末にネジ止めして形成した複数のチップスティックを戻り側ベルト幅方向に列設して固定するとともに、防塵シートを取り付けたベルトクリーナにおいて、前記チップは前記四角形棒状ゴム製弾性体もしくは前記短冊状金属製板バネに１枚ずつ取り付けられており、且つ、前記防塵シートは、該防塵シートの端部に切り込みを入れて複数の短冊を形成し、該複数の短冊を１つずつ前記チップと座金に挟み込んで、もしくは前記チップと前記チップスティックで挟み込んで、前記チップスティックに一つずつネジ止めして取り付けられていることを特徴とするベルトクリーナ。
【請求項２】
チップを四角形棒状ゴム製の弾性体の自由端末にネジ止めして形成した複数のチップスティックを戻り側ベルト幅方向に列設して固定するとともに、防塵シートを取り付けたベルトクリーナにおいて、前記四角形棒状ゴム製の弾性体の端面に前記チップを取り付けて前記チップスティックを形成し、前記防塵シートの内部に切り込みを入れて、前記四角形棒状ゴム製の弾性体と略同幅の複数の短冊を設け、該複数の短冊を１つずつ、それぞれ１つの前記チップと１つの前記四角形棒状ゴム製の弾性体の前記端面に挟み込んでネジ止めして取り付けていることを特徴とするベルトクリーナ。
【発明の詳細な説明】
【技術分野】
【０００１】
本発明は原料の輸送に用いるベルトコンベアのベルト表面に付着した付着物を掻き取るベルトクリーナに関する。
【背景技術】
【０００２】
ベルトコンベアは最も効率のよい大量運搬手段であることから、各種原料、燃料、処理済み材料、廃棄物などを搬送するためにベルトコンベアが多数使用されている。一般にベルトコンベアは駆動プーリと従動プーリとの間に所定幅のゴム製ベルトをエンドレスに巻き付け、駆動プーリを回転させることによりベルトを両プーリ間で周回運動させるものである。通常搬送物はキャリアベルト（搬送側ベルト）に載せて搬送され、駆動プーリ側で払い出されリターンベルト（戻り側ベルト）となり従動プーリへ戻るが、戻り側ベルト表面に付着した搬送物（付着物）が途中で落下し、ベルト下に堆積する問題があった。又、リターンローラやキャリアローラを摩耗させたり、ローラに付着しベルトを蛇行させたりする問題があった。
【０００３】
ベルトに搬送物が付着するとリターンベルト表面の付着物が落下し、ベルト下に堆積するが、特にスナッププーリ、テンションプーリ、リターンローラの下に選択的に落下・堆積しやすい。堆積物を放置するとリターンローラや戻りベルトの位置まで成長しこれらを摩耗させる。又、落下物の放置は作業環境の悪化や資源の損失となるため、定期的に落下物の回収作業を実施しているが、ベルトの全長に渡り落下しているので多大の労力と費用がかかっている。又、落鉱回収作業は機械化が困難で、人力に頼る必要があり３Ｋ作業の繰り返しとなっている。落下した落下物は回収して再利用する場合もあるが、土砂や小石などとの篩分けが必要となりコスト高となるため、廃棄処分する場合が多く資源の無駄遣いとなっている。このため、出来るだけベルトクリーナを用いて一定の場所で落下物を掻き落として効率的に回収する方法が採用されている。ベルトクリーナとしては、固定された掻き板をベルトに押し付けることにより付着物を掻き板で掻き取るスクレーパ式、ブラシをベルトに接触させるブラシ方式や高圧の流体を吹き付けて付着物を除去する洗浄方式があるが、構造が簡単なことや整備性の優れたスクレーパ方式が多用されている。
【０００４】
コンベアベルトは使用するにつれ徐々に摩耗するが、均一に摩耗するのではなく中央部が選択的に大きく摩耗する。従ってベルトが古くなるとベルト中央部と端部では５〜６ｍｍの厚み差が生じる。又、１００ｍ以上の機長の長いベルトになると、コストや作業時間の制約の点からベルトの取り換えを全長に渡り一括してやらない場合もあり、中央部が大きく摩耗している古いベルトと摩耗していない新しいベルトが混在することもある。摩耗状態が不均一なベルトに対するベルトクリーナの押圧調整は、摩耗の一番大きな中央部分に合わせるが、押圧力はベルトの幅方向で不均一になってしまう。又、ベルトのエンドレス部は経年的に剥離してエンドレス端部が剥がれてくる。この剥がれ部はベルト表面から突出するのでベルトクリーナの撓み限界を超えるとベルトクリーナを破損したり、ベルトクリーナの押圧力が大きいとエンドレスの剥がれを助長したりしてベルト損傷の要因となる。従って、ベルトクリーナはベルト表面の付着物を掻き取るために必須のアイテムではあるが、適切な取り付けや使用方法を間違うとベルトを破損させ生産障害を起こす場合がある。又、ベルトクリーナの掻き取り性能を適正に維持するためには、ベルト稼動中に掻き取り状況を見ながらベルトクリーナとベルトとの接触圧の調整を行うのが最良であるが、安全上の問題で困難であった。このようにベルトクリーナがクリアするべき課題はたくさんあり最大公約数的に全ての課題に対応するのは極めて困難である。今まで様々な形状、機能のベルトクリーナが提案されているが未だメンテナンスフリーで掻き取り効率に優れたベルトクリーナは具現化されていない。
【０００５】
スクレーパ式のベルトクリーナに必要な要件は以下である。（１）確実に、長時間にわたり付着物を掻き取ることができる。（２）チップの交換が容易である。（３）掻き取り部のチップの寿命が長く調整周期や取り換え周期が長い。（４）ベルトクリーナ本体に付着物が付着しない、もしくは付着物の量が極めて少ない。（５）付着物がベルトに強固に付着している場合やベルトのエンドレス部（接続部）に剥がれが生じている場合、チップがベルトの搬送方向に大きく撓んで、これらの障害物をやり過ごすことによりベルトクリーナの破損を回避できる。（６）ベルトクリーナの構造がシンプルでコンパクトであり、ベルトクリーナの取り付け取り外しが容易である。以上の特性を満足しようとして従来多種多様のベルトクリーナが提案されているがそれぞれ問題あり根本的な方法は具現化されていない。
【０００６】
特開２０１３−２５２９７６号広報において、ゴムからなる弾性体の自由端部にアンカー部を埋め込んでチップスティックを形成し、チップスティックを戻り側ベルトの幅方向に配設した架台に複数並べたベルトクリーナが提案されているが、防塵シートがなくチップスティック表面にダストが付着しチップスティックの摺動面の摩擦が大きくなりベルトへの追随性が低下する問題があった。
【０００７】
特開２０１４−０４３３３２号広報において、チップと金属製板バネを接合してなる複数のチップスティックを、ベルトの幅方向に並べ、チップスティックの下部を、ベルトの幅方向に配設した架台に固定したベルトクリーナが提案されているが、防塵シートがなくチップスティック表面にダストが付着しチップスティックの摺動面の摩擦が大きくなりベルトへの追随性が低下する問題があった。
【０００８】
特願２０１４−１２１１２７号広報において、チップを四角形棒状のゴム製の弾性体もしくは短冊状の金属製板バネにネジ止めしたチップスティックからなるベルトクリーナに短冊状の防塵シートを設けたベルトクリーナが提案されているが、短冊状の防塵シートの隙間からダストが侵入するので、チップスティック上にダストが堆積して固着していた。
【０００９】
メーカーカタログにカバーシートが設けられたベルトクリーナが提案され、掻き取られた付着物がベルトクリーナに付着しないように工夫しているが、カバーシートは掻き取り板毎にベルトの幅方向に分割されており、カバーシートの切れ目からダストが侵入することからチップの境目に堆積しチップの動きを阻害していた。
【先行技術文献】
【特許文献】
【００１０】
【特許文献０１】特開２０１３−２５２９７６号広報
【特許文献０２】特開２０１４−０４３３３２号広報
【特許文献０３】特願２０１４−１２１１２７号広報
【非特許文献】
【００１１】
【非特許文献０１】カバーシート付きベルトクリーナ（メーカーカタログ）
【発明の概要】
【発明が解決しようとする課題】
【００１２】
本発明は以下の課題を解決するものである。（１）ベルト表面の摩耗状況や付着物の付着力に応じて柔軟にチップが追随して確実に付着物を掻き取ることができるようにする。そのためにはチップの幅を小分割にしてベルトの小さな凹凸に細かに追随できるようにする。（２）強固な付着物やエンドレスの剥がれなどの障害物に対してはチップが逃げられるようにする。その手段として、チップをベルトの搬送方向に大きく撓ませてこれらの障害物をやり過ごせるようにする。又、高速で衝突する障害物を瞬時に回避するためにチップスティックの幅を極力小さくして軽量化しチップスティックの慣性モーメントを低減する。（３）チップスティックに防塵カバーを設け、チップスティックの隣り合う側面にダストが侵入しないようにする。（４）チップの振動で防塵カバーに堆積したダストを払い落とせるようにする。本発明は以上の課題を満足するベルトクリーナを具現化するものである。
【課題を解決するための手段】
【００１３】
第１の解決手段は特許請求項１に示すように、チップを四角形棒状ゴム製弾性体もしくは短冊状金属製板バネの自由端末にネジ止めして形成した複数のチップスティックを戻り側ベルト幅方向に列設して固定するとともに、防塵シートを取り付けたベルトクリーナにおいて、前記チップは前記四角形棒状ゴム製弾性体もしくは前記短冊状金属製板バネに１枚ずつ取り付けられており、且つ、前記防塵シートは、該防塵シートの端部に切り込みを入れて複数の短冊を形成し、該短冊を前記チップで固定することによって前記チップスティックに取り付けられているベルトクリーナである。
【００１４】
第２の解決手段は特許請求項２に示すように、前記四角形棒状ゴム製弾性体の端面に前記チップを取り付けてチップスティックを形成し、前記防塵シートを取り付けた前記ベルトクリーナにおいて、前記防塵シートの内部に切り込みを入れて、前記四角形棒状のゴム製の弾性体もしくは短冊状の金属製板バネと略同幅の複数の短冊を設け、該短冊を前記チップと前記四角形棒状のゴム製の弾性体もしくは短冊状の金属製板バネの前記端面に挟み込んで取り付けているベルトクリーナである。
【発明の効果】
【００１５】
第１の解決手段による効果は以下である。（１）ベルト表面の摩耗状況や付着物の付着力に応じて柔軟にチップが追随して確実に付着物を掻き取ることができる。そのためチップの幅を小分割にしてベルトの小さな凹凸に細かに追随できるようにしている。（２）強固な付着物やエンドレスの剥がれなどの障害物に対してはチップが逃げられるようにしている。その手段として、チップをベルトの搬送方向に大きく撓ませてこれらの障害物をやり過ごせるようにする。又、高速で衝突する障害物を瞬時に回避するためにチップスティックの幅を極力小さくして軽量化しチップスティックの慣性モーメントを低減している。（３）防塵カバーを設けているのでチップスティックの上にダストが堆積しない。（４）防塵シートとチップスティックの取付け部には切り込みがあるので、各チップスティックは独自に搖動運動可能でありベルトへの追随性は円滑である。（５）チップスティックが折損した場合でも、防塵シートに繋ぎ止められるので脱落することはない。（６）防塵シートを１枚のシートで形成することにより、防塵シートの繋ぎ目がなくなりダスト侵入がない。（７）チップスティックはベルトの凹凸に合わせて微振動することから、その振動が防塵カバーに伝わり堆積したダストを払い落とすことができる。
【００１６】
第２の解決手段による効果は以下である。（１）１枚の防塵シートでチップスティックの前面と後面をカバーできるので取り付けが容易であり、又防塵シートの繋ぎ目がないので、ダスト侵入がない。（２）防塵カバーを設けているのでチップスティックの上にダストが堆積しない。（３）防塵シートとチップスティックの取付け部には切り込みがあり、各チップスティックは独自に搖動運動可能でありベルトへの追随性は円滑である。（４）チップスティックが折損した場合でも、防塵シートに繋ぎ止められるので脱落することはない。（５）防塵シートの開口部は短冊のスリットだけでありダストがチップスティックの表面への堆積を防止できるのでチップスティックの摺動面にダストが侵入することがなく円滑な摺動運動を維持できる。（６）チップスティックはベルトの凹凸に合わせて微振動するので、その振動が防塵カバーに伝わり堆積したダストを払い落とすことができる。
【図面の簡単な説明】
【００１７】
【図１】は短冊状金属製板バネのチップスティックをベルトに取り付けた斜視図。
【図２】は短冊状金属製板バネのチップスティックをベルトに取り付けた部分斜視図。
【図３】はゴム弾性体のチップスティックに防塵シートを取り付けた斜視図。
【図４】は板バネ弾性体のチップスティックに防塵シートを取り付けた斜視図。
【図５】はゴム弾性体のチップスティックに防塵シートを取り付けた斜視図。
【図６】は片留め短冊を設けた防塵シートの正面図。
【図７】は両留め短冊を設けた防塵シートの正面図。
【発明を実施するための形態】
【００１８】
本発明の実施形態を請求項と図１〜図７に基づいて説明する。
【００１９】
第１の解決手段は特許請求項１に示すように、チップ２１を四角形棒状ゴム製弾性体２２もしくは短冊状金属製板バネ２３の自由端末２２ａ、２３ａにネジ止め２４して形成した複数のチップスティック２０を戻り側ベルト幅方向に列設して固定するとともに、防塵シート４０を取り付けたベルトクリーナ１０において、前記チップ２１は前記四角形棒状ゴム製弾性体２２もしくは前記短冊状金属製板バネ２３に１枚ずつ取り付けられており、且つ、前記防塵シート４０は、該防塵シート４０の端部４０ａに切り込み４０ｂを入れて複数の短冊４０ｃを形成し、該複数の短冊４０を１つずつ前記チップ２１と座金２５に挟み込んで、もしくは前記チップ２１と前記チップスティック２０で挟み込んで、前記チップスティック２０に１つずつネジ止め２４して取り付けられていることを特徴とするベルトクリーナ１０である。
【００２０】
チップ２１の材質はセラミックスや超硬合金やサーメットを使用できる。セラミックスには例えばアルミナ、窒化ケイ素、ジルコニア、炭化ケイ素などを使用できる。超硬合金には例えばＷＣ−Ｃｏ系合金、ＷＣ−ＴｉＣ−Ｃｏ系合金、ＷＣ−ＴａＣ−ＴａＣ−Ｃｏ系合金などを使用できる。サーメットはＴｉＣやＴｉＮ、ＮｂＣを主成分とし、Ｃｏ、Ｎｉ、Ｍｏ等の金属との複合材料の焼結品が使用できる。チップ２１の幅Ｗは１０〜３０ｍｍがよい。１０ｍｍより小さいと四角形棒状のゴム製の弾性体２２や短冊状の金属製板バネ２３の剛性が小さくなり撓みが大きすぎる問題がある。３０ｍｍより大きいと戻り側ベルト３０の小さな凹凸に追随できず掻き取り性能が低下する。
【００２１】
防塵シート４０の材料には、フッ素、ポリウレタン、ポリイミド、アラミド、ナイロン、シリコン、アクリル、ポリエステルなどの樹脂シートやガラス繊維が使用できる。ダストの剥離性に対してはフッ素樹脂シートが優れている。又、ガラス繊維にフッ素樹脂を含浸させたシートは引張強さや耐磨耗性に優れており防塵シートに適している。
【００２２】
防塵シート４０の上にはベルトクリーナ１０で掻き取ったダストが堆積するので滑り性の良い材料でなければならない。フッ素含浸のガラス繊維を防塵シートに使用することで、滑り性を向上させるとともに強度の高い防塵シート４０を形成できる。防塵シート４０には切り込み４０ｂ、４１ｂ、４２ｂを入れるので、切り込み止端部が応力集中により引き裂かれることを防止できる。防塵シート４０は１枚のシートで一体的に形成することができ、チップスティック２０に作用する戻りベルト幅方向のスラスト力を分担することができるので、チップスティックの横広がりを防止できる。
【００２３】
図１は、短冊状の金属製板バネ２３からなるチップスティック２０を架台５０に列設し、戻り側ベルト３１に取り付けた図である。図２は、短冊状の金属製板バネからなるチップスティックを戻り側ベルト３１に取り付けた場合の部分拡大図である。図３は、チップ２１を四角形棒状ゴム製弾性体２２の前面２２ｃにネジ２４で固定したチップスティック２０を列設した図である。図４は、チップ２１を短冊状金属製板バネ２３の前面２３ｃにネジ２４で固定したチップスティック２０を複数配列した図である。図５は、チップ２１を四角形棒状ゴム製弾性体２２の端面２２ｄにネジ２４で固定したチップスティック２０を列設した図である。
【００２４】
四角形棒状ゴム製弾性体２２や短冊状金属製板バネ２３からなるチップスティック２０を戻り側ベルト３１に対し数ミリ突き上げてセットする。戻り側ベルト３０が駆動するとチップスティック２０は戻り側ベルト３０の水平力を受けベルト進行方向に傾倒する。チップスティック２０は弾性力で戻り側ベルト３０を押圧しているので、戻り側ベルト３０の凹凸や変形に常に追随しながらダストを掻き落とす。チップスティック２０は棒状もしくは短冊状でありベルト幅方向に１０〜３０ｍｍの幅に小分割されているので、戻り側ベルト３０の小さな凹凸や変形に細かく追随しながら斑なくダストを掻き落とすことができる。又、戻り側ベルト３０の凹凸や変形から生じる衝撃によりチップスティック２０は常に微振動しており、この振動が防塵シート４０に伝達され防塵シート上に落下するダストを自働的に払い落とすので防塵シートにダストが堆積しない。
【００２５】
チップ２１は互いに隣り合う側面２１ａを摺動させればチップ間へのダスト侵入はない。一方、チップスティック２０を構成している四角形棒状のゴム製の弾性体２２や短冊状の金属製板バネ２３の隣り合う側面２０ａには隙間２０ｂがあることから、ダストが侵入しても固着することなくすぐに落下するのでチップスティック２０の円滑な動きが保持される。しかし、チップスティック２０の表面に堆積したダスト同士が結合するような場合は大きな塊となり、チップスティック２０の摺動運動を低下させる場合がある。これを解決するために防塵シート４０を設ける必要がある。ダストは防塵シート上に一旦落下してもすぐに滑り落ちてしまうのでチップスティック２０に堆積することがなくいのでチップスティック２０の円滑な動きが保持される。又、チップスティック２０の搖動による微振動が防塵シート４０に伝わり、落下したダストは強制的に剥離できる。
【００２６】
図３、図４に示すように、チップ２１が四角形棒状ゴム製弾性体２２もしくは短冊状金属製板バネ２３から突き出して取り付けられている場合は、チップ２１の前面に防塵シート４０を取り付けることにより、防塵シート４０と四角形棒状ゴム製弾性体２２もしくは短冊状金属製板バネ２３の間に空間１０ａが形成されることから、防塵シート４０にダストが堆積した際にダストの重みでチップスティック２０に密着することがないので、チップスティック２０の円滑な摺動運動が維持できる。
【００２７】
図６に示す防塵シート４１の短冊４１ｃは、防塵シート４１の端部４１ａに切り込み４１ｂをいれて形成するので、片側解放、片側は防塵シート４１と繋がり固定されており片留め短冊４１ｃとなっている。図３、図４は、短冊４１ｃをチップ２１と座金２５で挟んで四角形棒状のゴム製の弾性体２２や短冊状の金属製板バネ２３に固定する方法である。この他にも短冊４１ｃをチップ２１と四角形棒状のゴム製の弾性体２２もしくは短冊状の金属製板バネ２３で挟んで固定する方法がある。いずれにしても短冊４１ｃをチップ２１で挟んでチップスティック２０に取り付ける方法である。あるいは、予め防塵シート４１を四角形棒状ゴム製弾性体２２もしくは短冊状金属製板バネ２３にネジ２４止めした後に防塵シート４１に切り込み４１ｂを入れて片留め短冊４１ｃを形成する方法もある。防塵シート４１の短冊４１ｃを面積の広い座金２５やチップ２１で押えることにより短冊４１ｃにかかる面圧を小さくできるので防塵シート４１が破損しにくい。
【００２８】
短冊状金属製板バネ２３は腐食による減肉や戻り側ベルト３０からの水平力による振動で破損する危険性があるが、防塵シート４０でお互いに連結されているため、折損しても脱落することはないので、下流のベルトを損傷することはない。
【００２９】
図６に示す防塵シート４１の縦方向長さＨはチップスティック２０よりも長くするのがよい。短いとチップスティック２０間にダストが侵入する問題がある。長すぎると重たくなりチップスティック２０の摺動運動を阻害する。防塵シート４１の厚みは０．１〜２．０ｍｍがよい。０．１ｍｍより薄いと剛性がなくなり防塵シート４１がダストの重みでチップスティック２０と密着してしまう問題がある。２．０ｍｍより厚いと防塵シート４１の剛性が大きくなり、防塵シート４１が隣同士で摺り合うときにチップスティック２０の摺動性を阻害する。防塵シート４０に切り込４１ｂみを入れて形成した短冊４１ｃの役割は、それぞれのチップ２１が独自に搖動運動できるようにするためのものである。短冊４１ｃによってチップ２１は隣のチップ２１に影響されず自由に搖動することができる。そのため、短冊４１ｃの幅Ｗ１はチップ幅Ｗと同じか小さめにする。短冊４１ｃがチップ幅Ｗからはみ出すと隣のチップ２１との摺動運動を阻害しチップ２１が柔軟に戻りベルト３０の凹凸に追随できなくなる。切り込み４１ｂの長さ即ち短冊長さｈは１０〜３０ｍｍがよい。１０ｍｍより小さいとチップスティック２０の搖動運動に対する抵抗が大きい。３０ｍｍより大きいと切り込み４１ｂからダストが侵入する問題がある。防塵シート４１のベルト幅方向の長さＬはチップスティック２０の列設長さと同じか長めにするのがよい。
【００３０】
四角形棒状ゴム製弾性体２２はチップ２１を戻り側ベルト３０に押圧するための押圧力が必要であるとともに戻り側ベルト３０の微妙な凹凸に柔軟に追随し復元力を有する必要があるためにゴムを使用する。ゴムには例えば天然ゴムやアクリルゴム、ニトリルゴム、ウレタンゴム、フッ素ゴムなどが使用できる。
【００３１】
図３に示すように、四角形棒状ゴム製弾性体２２の横断面は四角形であるが正方形もしくは正方形に近い棒状が望ましい。正方形にすることによりチップ２１が偏荷重を受けた際に捩じれにくくなる。四角形棒状ゴム製弾性体２２の幅Ｂは１０〜３０ｍｍ角がよい。１０ｍｍ以下であると剛性が弱く掻き取り能力が小さくなる。３０ｍｍより大きくなると剛性が大きすぎて撓みが小さくなり戻り側ベルト３０の小さな凹凸に柔軟に追随しなくなる。四角形棒状ゴム製弾性体２２の長さは５０〜３００ｍｍよい。５０ｍｍより短いと撓みが小さすぎてベルトへ３０の追随性が低下する。３００ｍｍより長いと撓み量が大きすぎて掻き取り力が低下する。
【００３２】
短冊状金属製板バネ２３はチップ２１を戻り側ベルト３０に押圧するための押圧力が必要であるとともに戻り側ベルト３０の微妙な凹凸に柔軟に追随し復元力が必要であるために、バネ鋼、ＳＵＳ、炭素鋼、チタン、銅板などの金属が使用できる。
【００３３】
図４に示すように、短冊状金属製板バネ２３の横断面は短冊状であり、縦方向に細長い長方形である。短冊状金属製板バネ２３の厚みは１〜５ｍｍがよい。１ｍｍより薄いと剛性が弱く撓みすぎる。５ｍｍより厚いと剛性が大きすぎて撓みが小さくなり戻り側ベルト３０の凹凸に対する追随性が低下する．短冊状金属製板バネ２３の幅Ｂは１０〜３０ｍｍがよい。１０ｍｍ以下であると剛性が弱く掻き取り能力が小さくなる。３０ｍｍより大きくなると剛性が大きすぎて適切に撓まなくなり戻り側ベルト３０への追随性が低下する。短冊状金属製板バネ２３の長さは５０〜３００ｍｍがよい。５０ｍｍより短いと撓みが小さすぎて戻り側ベルト３０への追随性が低下する。３００ｍｍより長いと撓み量が大きすぎて掻き取り力が低下する。
【００３４】
図２において、短冊状の金属製板バネ２３からなるチップスティック２０の固定方法の例を示す。チップスティック２０は架台５０の溝５０ａに挿入配列されている。架台５０は押し付け板５１、受け板５２、底板５３からなり溝５０ａを形成している。押し付け板５１にはナット５５が溶接され、ナット５５には押し付けボルト５４が取り付けられ、押し付けボルト５４で押え板５６を押し付けることによりチップスティック２０を受け板５２に押し付けて固定している。四角形棒状のゴム製の弾性体２２の固定方法も同様である。
【００３５】
第２の解決手段は特許請求項２に示すように、チップ２１を四角形棒状ゴム製の弾性体２２の自由端末２２ａにネジ２４止めして形成した複数のチップスティック２０を戻り側ベルト幅方向に列設して固定するとともに、防塵シート４０を取り付けたベルトクリーナ１０において、前記四角形棒状ゴム製の弾性体２２の端面２２ｄに前記チップ２１を取り付けて前記チップスティック２０を形成し、前記防塵シート４０の内部４２ａに切り込み４２ｂを入れて、前記四角形棒状ゴム製の弾性体２２と略同幅の複数の短冊４２ｃを設け、該複数の短冊４１ｃを１つずつ、それぞれ１つの前記チップ２１と１つの前記四角形棒状ゴム製の弾性体２２の前記端面２２ｄに挟み込んでネジ２４止めして取り付けていることを特徴とするベルトクリーナ１０である。
【００３６】
図７に示すように防塵シート４２は内部４２ａに切り込み４２ｂを入れて短冊４２ｃを形成している。そのため、短冊４２は両端が防塵シート４２と繋がっており両留め短冊４２ｃとなっている。防塵シート４２の縦方向長さＨは、チップスティック２０の表側と裏側をカバーすることからチップスティック２０の長さの２倍以上の長さが望ましい。短いとチップスティック２０間にダストが侵入する問題がある。長すぎると重たくなりチップスティック２０の摺動運動を阻害する。防塵シート４２の厚みは０．１〜２．０ｍｍがよい。０．１ｍｍより薄いと剛性がなくなり防塵シート４２がダストの重みでチップスティック２０と密着してしまう問題がある。２．０ｍｍより厚いと防塵シート４２の剛性が大きくなり、防塵シート４２が隣同士で摺り合うときにチップスティック２０の摺動性を阻害する。短冊４２ｃの幅Ｗ１はチップ幅Ｗと略同一もしくは小さめにして、チップ２１が戻り側ベルト３０の進行方向に搖動する際に、隣のチップ２１に取り付けた短冊４２ｃからの抵抗を受けないようにする。切り込み４２ｂの長さｈ  は表側と裏側の短冊長さを確保するため２０ｍｍ+Ｗ０〜６０ｍｍ+Ｗ０がよい。２０ｍｍ+Ｗ０より小さいとチップスティック２０の搖動運動に対する抵抗が大きい。６０ｍｍ+Ｗ０より大きいと切り込み４２ｂからダストが侵入する問題がある。Ｗ０はチップ２１の厚みである。
【００３７】
図５において、防塵シート４２の内部４２ａに切り込み４２ｂを入れて、チップスティックと略同幅の両留め短冊４２ｃを形成し、四角形棒状ゴム製弾性体２２の端面２２ｄに両留め短冊４２ｃを載置し、チップ２１を端面２２ｄにネジ２４止めすることにより防塵シート４２を四角形棒状ゴム製弾性体２２に固定する。あるいは、予め防塵シート４２を四角形棒状ゴム製弾性体２２の端面２２ｄに載置し、チップ２１を端面２２ｄにネジ２４止めした後に防塵シート４２に切り込み４２ｂを入れて短冊４２ｃを形成してもよい。図５のように、１枚の防塵シート４２でチップスティック２０の表側と裏側の防塵シート４２を形成すれば繋ぎ目がないのでダスト遮断効果が向上する。
【符号の説明】
【００３８】
１０：ベルトクリーナ
１０ａ：空間
２０：チップスティック
２０ａ：（チップスティックの）隣り合う側面
２０ｂ：（チップスティック間の）隙間
２１：チップ
２１ａ：（チップの）隣り合う側面
２２：四角形棒状ゴム製弾性体
２２ａ：自由端末
２２ｂ：固定端末
２２ｃ：前面
２２ｄ：端面
２３：短冊状金属製板バネ
２３ａ：自由端末
２３ｂ：固定端末
２３ｃ：前面
２４：ネジ
３０：戻り側ベルト
４０：防塵シート
４０ａ：端部
４０ｂ：切り込み
４０ｃ：短冊
４１：防塵シート
４１ａ：端部
４１ｂ：切り込み
４１ｃ：（片留め）短冊
４２：防塵シート
４２ａ：内部
４２ｂ：切り込み
４２ｃ：（両留め）短冊
５０：架台
５０ａ：溝
５１：押し付け板
５２：受け板
５３：底板
５４：押し付けボルト
５５：ナット
５６：押え板
Ｈ：防塵シートの縦幅
Ｌ：防塵シートの横幅
ｈ：短冊長さ
Ｗ：チップ幅
Ｗ０：チップ厚み
Ｗ１：短冊の幅
【要約】      （修正有）【課題】チップスティック上へのダストの堆積やチップスティック間へのダストの侵入をなくし、長期に渡り高効率の掻き取り性能を有するベルトクリーナを提供する。【解決手段】四角形棒状のゴム製の弾性体もしくは短冊状の金属製板バネの先端にチップを取り付けたチップスティックを列設したベルトクリーナにおいて、チップスティックに短冊状の防塵シート４０，４１を取り付けて、チップスティックの隙間へのダスト侵入を防止し、１枚の防塵シートの端部に切り込み４０ｂ，４１ｂを入れて複数の短冊を形成し、短冊をチップ２１や座金２５で四角形棒状のゴム製の弾性体２２もしくは短冊状の金属製板バネ２３に固定することにより、切り込み以外は開口部のない防塵シートとした。【選択図】図２【図１】
0005712450.tif 000002
【図２】
0005712450.tif 000003
【図３】
0005712450.tif 000004
【図４】
0005712450.tif 000005
【図５】
0005712450.tif 000006
【図６】
0005712450.tif 000007
【図７】
0005712450.tif 000008